(57)【要約】【目的】予め視聴者の選択した番組のコーナーの開始を自動的に検出して視聴者に通知することができるコーナー検出装置を提供すること。【構成】テレビジョン受像機において、視聴者が視聴を希望する番組の特定の一部分の開始を検出する番組のコーナー検出装置を、入力手段と、テレビジョン信号と、受信手段と、デマルチプレックス手段と、ビデオ復号手段と、オーディオ復号手段と、番組情報復号手段と、番組情報記憶手段と、音声記憶手段と、番組検出手段と、前記番組検出手段に検出された番組の音声信号を監視し、前記音声記憶手段に記憶されている音声信号と類似した信号を検出する音声検出手段と、前記音声検出手段によって類似した音声信号が検出されたことを通知する通知手段を含んで構成する。【選択図】      図１
2004221984.tif 000002
【特許請求の範囲】
【請求項１】
テレビジョン受像機において、視聴者が視聴を希望する番組の特定の一部分の開始を検出する番組のコーナー検出装置であって、
視聴者が番組の一部の開始を入力する入力手段と、テレビジョン信号と、前記テレビジョン信号に係る番組情報とを受信する受信手段と、前記受信手段により受信した多重化された信号をデマルチプレックスするデマルチプレックス手段と、前記デマルチプレックス手段によりデマルチプレックスされたビデオ信号を復号するビデオ復号手段と、前記デマルチプレックス手段によりデマルチプレックスされたオーディオ信号を復号するオーディオ復号手段と、前記デマルチプレックス手段によりデマルチプレックスされた番組情報を復号する番組情報復号手段と、前記入力手段により入力された信号と前記番組情報復号手段により復号された番組情報に基づき、現在視聴者の視聴している番組の番組情報を記憶する番組情報記憶手段と、前記入力手段により入力された信号と前記オーディオ復号手段により復号された音声信号に基づき、現在視聴者の視聴している番組の現在の音声を記憶する音声記憶手段と、前記番組情報記憶手段に記憶されている番組情報に基づき、記憶されている番組が開始されたことを検出する番組検出手段と、前記番組検出手段に検出された番組の音声信号を監視し、前記音声記憶手段に記憶されている音声信号と類似した信号を検出する音声検出手段と、前記音声検出手段によって類似した音声信号が検出されたことを通知する通知手段とを具備することを特徴とするコーナー検出装置。
【請求項２】
前記番組情報記憶手段は、前記入力手段によって番組の一部の開始情報が入力されると、前記番組情報復号手段によって復号された番組情報に基づき、番組のチャンネルと、番組名と、番組開始時刻とを記録することを特徴とする請求項１記載のコーナー検出装置。
【請求項３】
前記音声記憶手段は、前記入力手段によって番組の一部の開始情報が入力されると、番組の一部の開始と共に放送される特徴的な音声信号を番組情報と共に記憶することを特徴とする請求項１記載のコーナー検出装置。
【請求項４】
前記音声記憶手段は、前記入力手段によって番組の一部の開始情報が入力されると、前記デマルチプレクサ手段によってデマルチプレックスされた音声信号を、復号前の信号のまま前記番組情報記憶手段に記憶された番組情報と対応付けて記憶することを特徴とする請求項１記載のコーナー検出装置。
【請求項５】
前記音声検出手段は、前記音声記憶手段に記憶されている復号前の音声信号と、前記番組検出手段により検出された番組の前記デマルチプレクサ手段によりデマルチプレックスされた復号前の音声信号との相関を計算することを特徴とする請求項１記載のコーナー検出装置。
【発明の詳細な説明】
【０００１】
【発明の属する技術分野】
本発明は、番組視聴支援装置に関し、特に視聴者の登録した番組のコーナーの開始を検出、開始を通知するコーナー検出装置に関する。
【０００２】
【従来の技術】
近年、ＢＳ放送やＣＳ放送によるテレビ番組の配信が行われるようになり、急速にチャンネル数が増加してきた。このため、従来の、視聴者が視聴する番組や時間、チャンネル等を記憶し時間になれば視聴するという形態が困難になってきている。
【０００３】
この問題を解決するための視聴支援技術として、特開２０００−０７８４９４号や特開平１１−１７７８９６号のような、視聴者が予め選択しておいた番組の開始時間をカウントダウンで表示するといったもの等が提案されている。これらの技術は、予め送られている番組情報を利用し、視聴する番組を前もって視聴者が選択することで時間になると番組の開始を通知する。
【０００４】
これら従来技術では、番組の初めからしか通知できないため、例えば毎日視聴しているニュース番組のスポーツコーナーのような番組の特定の１部分（以下では番組の１コーナーと記述する）の開始を通知することができない。しかし、話題の番組やドラマ等よりも、毎日見ているニュース番組やワイドショーの１コーナーの方が忘れ易く、より通知が必要と言える。
【０００５】
【発明が解決しようとする課題】
しかし、放送局より送られるＥＰＧには、番組のコーナーの始まりといった細かい情報は記載されておらず、何らかの手法で検出する必要がある。番組の１コーナーは曜日や構成によって時間がずれたりコーナーが削除されたりするため、的確に開始を通知することは難しく、このような技術は従来提案されていなかった。
【０００６】
本発明は上記事情に鑑みてなされたもので、その目的とする処は、予め視聴者の選択した番組のコーナーの開始を自動的に検出して視聴者に通知することができるコーナー検出装置を提供することにある。
【０００７】
【課題を解決するための手段】
本発明によるコーナー検出装置は、テレビジョン受像機において、視聴者が視聴を希望する番組の特定の一部分の開始を検出する番組のコーナー検出装置であって、視聴者が番組の一部の開始を入力する入力手段と、テレビジョン信号と、テレビジョン信号に係る番組情報とを受信する受信手段と、受信手段により受信した多重化された信号をデマルチプレックスするデマルチプレックス手段と、デマルチプレックス手段によりデマルチプレックスされたビデオ信号を復号するビデオ復号手段と、オーディオ信号を復号するオーディオ復号手段と、番組情報を復号する番組情報復号手段と、入力手段により入力された信号と番組情報復号手段により復号された番組情報に基づき、現在視聴者の視聴している番組の番組情報を記憶する番組情報記憶手段と、入力手段により入力された信号とオーディオ復号手段により復号された音声信号に基づき、現在視聴者の視聴している番組の現在の音声を記憶する音声記憶手段と番組情報記憶手段に記憶されている番組情報に基づき、記憶されている番組が開始されたことを検出する番組検出手段と、番組検出手段に検出された番組の音声信号を監視し、音声記憶手段に記憶されている音声信号と類似した信号を検出する音声検出手段と、音声検出手段によって類似した音声信号が検出されたことを通知する通知手段とを具備することを特徴とする。
【０００８】
【発明の実施の形態】
以下に本発明の実施の形態を添付図面に基づいて説明する。
【０００９】
＜実施の形態１＞
図１は本コーナー検出装置の構成を示すブロック図である。
【００１０】
図１において、１は地上波放送、ＢＳ放送、ＣＳ放送等を受信するアンテナ、２はチューナ、３はＴＳのデマルチプレクサ、４はビデオデコーダ、５はオーディオデコーダ、６はＥＰＧ情報をデコードするＥＰＧデコーダ、７は現在の音声と蓄えられている音声の類似度を計算し、コーナーを検出する音声検出部、８はユーザの入力に従ってコーナーの始まりを示す特徴的な音声の記録を制御する音声記録制御装置、９はコーナーの開始の音声と、番組情報を記憶するコーナー情報記憶部、１０は通知するコーナーの情報や検出したコーナの開始情報を映像又は音声で表示するためのコーナー通知制御部、１１はＥＰＧ構成を制御するＥＰＧ構成部、１２はＥＰＧ制御に必要な情報を蓄えるメモリ、１３はリモコン、操作パネル等の入力部、１４はシステム制御部、１５はビデオ信号、ＥＰＧ情報等の表示を制御する表示制御部、１６はデジタル音声信号をアナログ情報に変換するＤ／Ａ変換器、１７は表示装置、１８は音声出力装置である。
【００１１】
先ず始めに、通常の視聴におけるデジタルテレビジョン装置の動作を説明する。
【００１２】
通常の視聴では、視聴者は、入力部１３を操作し、チューナ２に対して選局の指示をする。選択結果をチューナ２に通知することで番組を選択し視聴する。その際、チューナ２はアンテナ１より受信された信号の中から選択された番組のチャンネルが含まれるＴＳ（Ｔｒａｎｓｐｏｒｔ    Ｓｔｒｅａｍ  ）を検出し、デマルチプレクサ３にＴＳを送る。デマルチプレクサ３は、ＴＳに含まれる複数の映像信号、音声信号を分解し、選局された番組の映像信号ビデオデコーダ４に音声信号をオーディオデコーダ５にそれぞれ入力する。ビデオデコーダ４のデコードした映像信号は、表示制御部１５に送られ、表示装置１７に表示される。オーディオデコーダ５のデコードした音声信号は、Ｄ／Ａ変換器１６でアナログ信号に変換され、音声出力装置１８から出力される。
【００１３】
ＥＰＧ情報を取得するように入力部１３を操作した場合、システム制御部１４はメモリ１２より必要な情報を読み出し、ＥＰＧデコーダ６に出力する。ＥＰＧデコーダ６は、デマルチプレクサ３から得られるＥＰＧ情報をデコードし、ＥＰＧ構成部１１に出力する。ＥＰＧ構成部１１は、ＥＰＧ情報を構成し、表示制御部１５に出力して画面に表示する。
【００１４】
次に、本発明による番組のコーナー検出装置を持つデジタルテレビジョンの動作を説明する。本発明による番組のコーナー検出装置は、初回視聴時の特徴記憶動作と、２回目以降の視聴時のコーナー検出動作を行う。
【００１５】
先ず始めに、初回視聴時の特徴記憶動作について説明する。
【００１６】
本発明による番組のコーナー検出装置は、入力部１３にコーナーの開始をシステムに通知するためのボタンを有する。視聴者は定期視聴を望む番組の初回視聴時に、視聴したいコーナーの開始を告げる特徴的な音声が始まったタイミングでこのボタンを押し、システムに番組のコーナーの開始を通知する。
【００１７】
番組の特定のコーナーは、特徴的な音声を伴って開始されることが常であり、その音声を記憶し、次回の視聴時からはその音声を検出することでコーナーの開始を検出することができる。
【００１８】
入力部１３から入力された番組のコーナーの開始を通知する信号は、システム制御部１４によって解析される。システム制御部１４は、先ずメモリ１２より必要な情報を読み出し、ＥＰＧデコーダ６にＥＰＧ情報のデコードを指示する。ＥＰＧデコーダ６はＥＰＧ情報に含まれるＴＤＴ（Ｔｉｍｅ  Ｄａｔｅ  Ｔａｂｌｅ  ）、ＳＤＴ（Ｓｅｒｖｉｃｅ  Ｄｅｓｃｒｉｐｔｉｏｎ  Ｔａｂｌｅ  ）やＥＩＴ（Ｅｖｅｎｔ  Ｉｎｆｏｒｍａｔｉｏｎ  Ｔａｂｌｅ  ）を解析し、現在の時刻、自ストリームのチャンネル番号、番組名、開始時刻を得る。ＥＰＧの構成や必要なデータは「ＩＥＣ１３８１８−１  ＭＰＥＧ  ２  Ｓｙｓｔｅｍ  」や社団法人電波産業会の定める標準規格により伝送されている。ＥＰＧデコーダ６は、チャンネル番号、番組名、番組の開始時刻をシステム制御部１４に出力する。システム制御部１４は、ＥＰＧデコーダ６から入力された情報をコーナー情報記録部９に記録する。
【００１９】
システム制御部１４は、入力部１３によってコーナーの開始を通知されると、デマルチプレクサ３に対して音声信号をオーディオデコーダ５に出力すると共に音声記憶制御部８に対しても出力するよう指示する。この音声信号は、コーナーの開始を知らせるための特徴的な音声である。音声記憶制御部８は、デマルチプレクサ３から得られた現在視聴している番組の音声信号を、コーナー情報記録部９に出力する。この際、音声記録制御部８は、デマルチプレクサ３から入力されるコーナーの開始を告げる特徴的な音声と、コーナー情報記録部９に既にシステム制御部１４によって記録されている、コーナーが含まれる番組のチャンネル、番組名、番組の開始時刻とを対応付けて記録する。例えば、図２のように記録する図２の音声信号は１６進数で記述した。記憶する時間は数秒程度で良い。検出精度を上げるため、ボタン入力を受けてから記憶を開始するまでに１秒程度あけるものとする。
【００２０】
コーナー情報記録部９に記録される信号は、デマルチプレクサ３から入力される音声そのものであり、音声信号が圧縮されている場合でもデコードしないでそのまま記録することを特徴とする。
【００２１】
音声記憶制御部８は、又、コーナー情報記憶部９に情報を書き込むと同時に、コーナー通知制御部１０に番組名を出力する。コーナー通知制御部１０は、音声記憶制御部８からの入力を受け、例えば図３のような画面を構成して画面に出力する。
【００２２】
このようにして、コーナーの開始を特徴付ける特徴的な音を、現在の時刻、番組名等と共に記録することができる。
【００２３】
次に、コーナーの開始を検出して通知する場合の動作について説明する。
【００２４】
システム制御部１４は、コーナー情報記憶部９に記憶されている番組の開始時刻になると、メモリ１２より必要な情報を得てＥＰＧデコーダ６にＥＰＧのデコードを指示する。ＥＰＧデコーダ６は、ＥＰＧ情報を解析し、コーナー情報記憶部９に記憶されているチャンネルで現在放送されている番組の名称を得てシステム制御部１４に出力する。システム制御部１４は、ＥＰＧデコーダ６から入力される番組名と、コーナー情報記憶部９に記憶されている番組名が一致するかどうか調べる。一致する場合、番組は正しく開始されていると判断し、コーナー検出処理を開始する。一致しない場合は、番組は本日は放送されていないものとしてコーナー検出を行わない。
【００２５】
コーナー検出処理では、先ずシステム制御部１４はデマルチプレクサ３に対して音声信号をオーディオデコーダ５に出力すると共に音声検出部７に対しても出力するように指示する。又、システム制御部１４は、コーナー情報記憶部９に記憶されているコーナー情報のうち、現在放送されている番組のコーナーの情報にフラグを立てる。音声検出部７は、デマルチプレクサ３からの入力を受けると、音声記憶制御部８に対して対応する番組のコーナーの情報を要求する。音声記憶制御部８は、コーナー情報記憶部９内に、システム制御部によって立てられたフラグを探し、フラグの立っているコーナー情報を音声検出部７に出力する。
【００２６】
音声検出部７は、デマルチプレクサ３と音声記憶制御部８からの入力の相関を計算し、ほぼ同一と見なされる音声信号が入力されているかどうかを監視する。デジタル情報であるので、相関の計算は単純に各ビットの排他論理和を取れば良い。排他論理和を取った結果１となったビットの数が閾値以下なら同一の音声パターンと見なす。これにより、予めデジタル音声記憶部９に記憶されている音声パターンと現在放送されている番組の音声パターンとを比較でき、コーナーの開始を告げるような特徴的な音声を検出することができる。
【００２７】
具体的には、図４のように行えば良い。即ち、記録してある音声信号の先頭数ビット分、図４では６４ビット分を第１検索列とし、入力信号に対して排他論理和を計算する。排他論理和の演算後、０となるビットの数を類似度とする。入力に対して相関計算を順に行い、類似度の高い入力が見つかると、記録してある音声信号の、第１検索列に続く数ビットを第２検索列として第２検索列でも類似度が高いか計算する。第２検索列でも類似度が高ければ、それに続く第３検索列で更に計算をし、類似度が高くなければ再び第１検索列による探索に戻る。このようにして、予め記録してある数秒分の音声信号全てについて類似度が高い入力が発見されれば、コーナーの開始の特徴的な音声を検出できたと判定する。
【００２８】
この検索方式は音声の形式、つまり圧縮、非圧縮や圧縮の種類に左右されないが、圧縮音声の場合、コーナーの特徴検出を行い記録した音声と、検索を行う際に圧縮の方式が同一である必要がある。例えば、ＢＳデジタル放送の場合、音声はＡＡＣ（Ａｄｖａｎｃｅｄ  Ａｕｄｉｏ  Ｃｏｄｉｎｇ  ）方式で圧縮されているが、圧縮時にステレオの形式や圧縮の方式を変えることができる。本方式で検索を行う場合は、記録時と検索時でこれら圧縮の方式が同一である必要がある。
【００２９】
本発明は、音声信号が圧縮されている場合であっても、デコードすることなく音声の類似度を計算するので、記録に必要な領域は少なくて良く、又、類似度計算にデコード処理が必要ないので、少ない記録領域で高速に演算が行えることが特徴である。
【００３０】
上記のような手法でコーナーの開始を示す特徴的な音声を抽出できると、音声検出部７は、コーナー通知制御部１０に検出した旨を出力する。コーナー通知制御部１０は、音声検出部７からの入力を受け、例えば図５のような画面を出力する若しくは検出した特徴的な音声を出力する、といった手法で視聴者に通知する。
【００３１】
以上のような構成・動作を行うことで、実施の形態１における番組のコーナー検出装置は、視聴者によって予め与えられたコーナーの開始を、同じ時間に開始される同じ番組名の番組の中から自動的に検出し、コーナーの開始時間が異なる場合でも正確に通知することができる。
【００３２】
実施の形態１ではコーナー情報記憶部９に記憶された時間に記憶されている番組が放送されていなかったらその日はその番組が放送されていないと見なしたが、何らかの理由で遅れて放送されることを考慮してＥＰＧを数時間分検索して同一の番組名の番組を検索するように構成しても良い。このように構成した際は、検索した結果同一の番組名の番組が見つかると、システム制御部１４はコーナー情報記憶部９に新たに放送開始時間を記憶し、その時刻に再度コーナー検出を行う。
【００３３】
又、実施の形態１では視聴すべきコーナーを含む番組が開始されると同時にコーナーの検出を開始するように構成したが、コーナーの初回視聴時にコーナー情報記憶部９にコーナー開始時刻として操作時の時刻を記入するようにし、コーナー検出時はその時刻近辺から検出を開始するように構成しても良い。
【００３４】
＜実施の形態２＞
本発明の実施の形態１を図面を用いて説明する。図６は本コーナー検出装置の実施の形態１を示すブロック図である。尚、本実施の形態を示す図において、実施の形態１と同一の動作を行うものについては同一の符号を付し、説明を省略する。
【００３５】
１９はＥＰＧの情報を解析するＥＰＧデコーダであり、実施の形態１と異なり同一の番組名の番組現在のＥＰＧ情報から検索する動作が可能である。２０は番組予約を記憶する番組予約記憶部である。
【００３６】
本実施の形態で、実施の形態１と異なるのは、コーナーの初回視聴時に入力部１３からコーナーの開始を指示する入力が与えられた際のＥＰＧデコーダ１９の動作と、コーナ情報を記憶する記憶部が視聴予約記憶部２０に変わっている点である。
【００３７】
先ず、入力部１３からコーナーの開始を指示する入力が与えられると、実施の形態１と同様に、システム制御部１４は、ＥＰＧデコーダ１９に対してＥＰＧ情報のデコードを指示する。ＥＰＧデコーダ１９は、ＥＰＧ情報に含まれるＴＤＴ、ＳＤＴ、ＥＩＴを解析し、現在の時刻、自ストリームのチャンネル番号、番組名、開始時刻を得る。そして、ＥＰＧ情報に含まれる今後数日分の番組情報から、現在のチャンネル番号、番組名が等しい番組を検索する。検索の結果、複数の該当番組が得られた場合、該当番組全てのチャンネル、番組名、番組開始時間をシステム制御部１３に出力する。システム制御部１３は、その情報を視聴予約記憶部２０に全て記録する。又、実施の形態１と同様の動作により音声記憶制御部８は、コーナーの開始を告げる特徴的な音声のデジタルデータを視聴予約記憶部２０に記録する。
【００３８】
コーナーの検出動作、通知動作は実施の形態１と同一であるため、これらについての説明は省略する。
【００３９】
実施の形態１と異なり、初回視聴時にコーナーを含むと思われる番組を全て検出することで、番組の開始時刻の変動に対応できるように構成してある。
【００４０】
本実施の形態では、視聴予約記憶部２０をコーナーを視聴する番組の予約情報の記憶するよう構成したが、通常の番組の視聴予約を記憶する装置を兼ねるように構成しても良い。この場合、通常の番組の視聴予約とコーナーのみの視聴予約は、何らかのフラグで区別できるように構成する。
【００４１】
又、本実施の形態でも、実施の形態１と同様に視聴予約記憶部２０にコーナー開始時刻として操作時の時刻を記入するようにし、コーナー検出時はその時刻近辺から検出を開始するように構成しても良い。
【００４２】
＜実施の形態３＞
本発明の実施の形態３を図面を用いて説明する。図７は本コーナー検出装置の実施の形態３を示すブロック図である。尚、本実施の形態を示す図において、実施の形態１と同一の動作を行うものについては同一の符号を付し、それらについての説明は省略する。
【００４３】
以下、本実施の形態におけるコーナー検出装置の動作を、初回視聴時の特徴記憶動作と、２回目視聴以降のコーナー検出動作に分けて説明する。
【００４４】
先ず、初回視聴時の特徴記憶動作について説明する。
【００４５】
入力部１３から入力された番組のコーナーの開始を示す信号は、システム制御部２４に入力される。システム制御部２４は、実施の形態１と同様にＥＰＧデコーダ２３にＥＰＧ情報のデコードを指示する。ＥＰＧデコーダ２３は、ＥＰＧ情報を解析し、現在の時刻、自ストリームのチャンネル番号、番組名、番組の開始時刻を得る。ＥＰＧデコーダ２３は、先ず、得られたチャンネル番号、番組名、番組の開始時刻を音声記録制御部２１に出力する。ＥＰＧデコーダ２３は、又、チャンネル番号、番組名、番組の開始時刻をシステム制御部２４に出力する。システム制御部２４は、ＥＰＧデコーダ６から入力されたそれらの情報を時刻情報記録部２５に記録する。
【００４６】
システム制御部２４は、又、入力部１３によってコーナーの開始を通知されると、デマルチプレクサ３に対して音声信号をオーディオデコーダ５に出力すると共に音声記憶制御部２１に対しても出力するよう指示する。この音声信号は、コーナーの開始を知らせるための特徴的な音声である。音声記録制御部２１は、デマルチプレクサ３から入力されるコーナーの開始を告げる特徴的な音声と、ＥＰＧデコーダ２３から入力されるコーナーが含まれる番組のチャンネル、番組名、番組の開始時刻とを対応付けて記録する。例えば、図２のようである。
【００４７】
このようにして、コーナーの開始を特徴付ける特徴的な音を、現在の時刻、番組名等と共に記録する。
【００４８】
次に、コーナーの開始を検出し通知する場合の動作について説明する。
【００４９】
システム制御部２４は、時刻情報記憶部２５に記憶されている番組の開始時刻になると、メモリ１２より必要な情報を得てＥＰＧデコーダ２３にＥＰＧのデコードを指示する。ＥＰＧデコーダ２３は、ＥＰＧ情報を解析し、時刻情報記憶部２５に記憶されているチャンネルで現在放送されている番組の名称を得てシステム制御部２４に出力する。システム制御部２４は、ＥＰＧデコーダ２３から入力される番組名と、時刻情報記憶部２５に記憶されている番組名が一致するかどうか調べる。一致する場合、番組は正しく開始されていると判断し、コーナー検出処理を開始する。一致しない場合は、番組は本日は放送されていないものとしてコーナー検出を行わない。
【００５０】
コーナー検出処理では、先ず、システム制御部２４は、ＥＰＧデコーダ２３に対してＥＰＧ情報のデコードを指示する。ＥＰＧデコーダ２３は、時刻情報記憶部２５に記憶されているチャンネルのＥＰＧ情報をデコードし、音声記憶制御部２１に出力する。システム制御部２４は、又、デマルチプレクサ３に対して音声信号をオーディオデコーダ５に出力すると共に音声検出部７に対しても出力するように指示する。
【００５１】
音声検出部７は、デマルチプレクサ３からの入力を受けると、音声記憶制御部２１に対して対応する番組のコーナーの情報を要求する。音声記憶制御部２１は、音声検出部７の要求を受けるとＥＰＧデコーダ２３からの入力に基づいてコーナーの開始の音声を音声記憶部２２から取り出し、音声検出部７に出力する。音声検出部７は、実施の形態１と同様に、デマルチプレクサ３と音声記憶制御部２１からの入力の相関を計算し、ほぼ同一と見なされる音声信号が入力されているかどうかを監視する。
【００５２】
以上のような構成・動作を行うことで、本実施の形態における番組のコーナー検出装置は、コーナーの開始を、同じ時間に開始される同じ番組名の番組の中から自動的に検出し、コーナーの開始時間が異なる場合でも正確に通知することができる。
【００５３】
本実施形態が実施の形態１と異なるのは、システム制御部２４は時刻と番組名の管理のみを行い、音声情報とコーナーの情報の管理を音声記憶制御部２１が行う点である。このように構成することにより、音声検出部７、音声記憶制御部２１、音声記憶部２２、コーナー通知制御部１０を独立して構成でき、従来のデジタルテレビシステムに多少の変更を加えることで構成できる。例えば、オーディオデコーダ５、音声検出部７、音声記憶制御部２１を１つのチップで構成するといったことが可能となる。
【００５４】
本実施の形態であっても、実施の形態１と同様に、ＥＰＧを数時間分検索して同一の番組名の番組を検索するように構成しても良いことは明らかである。又、本実施の形態においても、実施の形態１と同じくコーナーの初回視聴時に時刻情報記憶部２５にコーナー開始時刻として操作時の時刻を記入するようにし、コーナー検出時はその時刻近辺から検出を開始するように構成しても良いことも明らかである。
【００５５】
【発明の効果】
以上の説明で明らかなように、本発明によれば、予め視聴者の選択した番組のコーナーの開始を告げる特徴的な音声を検出することで、番組のコーナーの開始を自動的に検出し、視聴者に通知することができるという効果が得られる。
【図面の簡単な説明】
【図１】本発明の実施の形態１に係るコーナー検出装置の構成を示すブロック図である。
【図２】本発明の実施の形態１に係るコーナー検出装置のコーナー情報記憶部の記憶形式を説明する説明図である。
【図３】本発明の実施の形態１に係るコーナー検出装置のコーナー通知制御部の動作を説明する図である。
【図４】本発明の実施の形態１に係るコーナー検出装置の音声検出部７の動作を説明する図である。
【図５】本発明の実施の形態１に係るコーナー検出装置のコーナー通知制御部の動作を説明する図である。
【図６】本発明の実施の形態２に係るコーナー検出装置の構成を示すブロック図である。
【図７】本発明の実施の形態３に係るコーナー検出装置の構成を示すブロック図である。
【符号の説明】
１        受信アンテナ
２        チューナ
３        デマルチプレクサ
４        ビデオデコーダ
５        オーディオデコーダ
６        ＥＰＧデコーダ
７        音声検出部
８        音声記憶制御部
９        コーナー情報記憶部
１０      コーナー通知制御部
１１      ＥＰＧ構成部
１２      ＥＰＧ解析用メモリ
１３      入力部
１４      システム制御部
１５      表示制御部
１６      Ｄ／Ａ変換器
１７      表示装置
１８      音声出力装置
１９      ＥＰＧデコーダ
２０      視聴予約記憶部
２１      音声記録制御部
２２      音声記憶部
２３      ＥＰＧデコーダ
２４      システム制御部
２５      時刻情報記憶部
【図１】
2004221984.tif 000003
【図２】
2004221984.tif 000004
【図３】
2004221984.tif 000005
【図４】
2004221984.tif 000006
【図５】
2004221984.tif 000007
【図６】
2004221984.tif 000008
【図７】
2004221984.tif 000009